(57)【要約】【課題】加熱ユニットおよびローラを支持するフレームが歪んでしまったときに、加熱ユニットが移動できなくなってしまうのを抑制することができる定着装置を提供する。【解決手段】定着装置は、加圧ローラ１４０（ローラ）との間でニップを形成する加熱ユニットＨＵと、加圧ローラ１４０の端部を保持するとともに、加熱ユニットＨＵを上下方向に沿って移動可能に支持する第１フレーム４００と、加熱ユニットＨＵを加圧ローラ１４０に向けて付勢する加圧機構５００と、を備えている。第１フレーム４００は、前後方向において加熱ユニットＨＵの被ガイド部を挟み、加熱ユニットＨＵの前後方向への移動を規制する第１規制面４４５Ａと第２規制面４４７Ａを有し、第１規制面４４５Ａと第２規制面４４７Ａは、上下方向において加圧ローラ１４０から最も遠い端部が、加熱ユニットＨＵの被ガイド部前後方向で対向している。【選択図】図５
2014130245.tif 000002
【特許請求の範囲】
【請求項１】
第１方向へ延びる軸線の周りを回転するように構成されたローラと、
前記ローラと前記第１方向と直交する第２方向で対向し、前記ローラとの間でニップを形成するように構成され、被ガイド部を有する加熱ユニットと、
前記ローラの前記第１方向における端部を保持するとともに、前記加熱ユニットを前記第２方向に沿って移動可能に支持するフレームと、
前記加熱ユニットを前記ローラに向けて付勢する加圧機構と、を備え、
前記フレームは、前記第２方向における前記加熱ユニット側に開口して前記ローラの前記端部を保持する凹部と、前記第１方向と前記第２方向とに直交する方向に沿う第３方向において前記加熱ユニットの前記被ガイド部を挟み、前記加熱ユニットの移動を案内するように構成された第１のガイドおよび第２のガイドとを有し、
前記第１のガイドは、前記凹部の前記第３方向における一方側の縁を構成する壁と繋がっており、
前記第２のガイドは、前記凹部の前記第３方向における他方側の縁を構成する壁と繋がっており、
前記被ガイド部は、前記第３方向の一方側を向く第１面と、前記第３方向の他方側を向く第２面と、を有し、
前記第１のガイドは、前記被ガイド部に対して前記第３方向の一方側に配置され、前記第１面と前記第３方向で対向して前記被ガイド部の前記第３方向の一方側への移動を規制するように構成された第１規制面を有し、
前記第２のガイドは、前記被ガイド部に対して前記第３方向の他方側に配置され、前記第２面と前記第３方向で対向し、前記被ガイド部の前記第３方向の他方側への移動を規制するように構成された第２規制面を有し、
前記第１規制面の前記第２方向において前記ローラから最も遠い端部は、前記加熱ユニットが前記ローラに最も近接する位置にあるとき、前記第１面と前記第３方向で対向し、
前記第２規制面の前記第２方向において前記ローラから最も遠い端部は、前記加熱ユニットが前記ローラに最も近接する位置にあるとき、前記第２面と前記第３方向で対向することを特徴とする定着装置。
【請求項２】
前記フレームは、樹脂からなることを特徴とする請求項１に記載の定着装置。
【請求項３】
前記加圧機構は、前記加熱ユニットを前記ローラへ第１の圧力で接触させる第１状態と、前記加熱ユニットを前記ローラへ前記第１の圧力よりも小さい第２の圧力で接触させる第２状態と、に切り替え可能であることを特徴とする請求項１または請求項２に記載の定着装置。
【請求項４】
前記加圧機構は、前記加熱ユニットを前記ローラへ接触させる第３状態と、前記加熱ユニットを前記ローラから離間させる第４状態とに切り替え可能であることを特徴とする請求項１から請求項３のいずれか１項に記載の定着装置。
【請求項５】
前記加熱ユニットは、エンドレスベルトと、前記エンドレスベルトの内側に配置され、前記ローラとの間で前記エンドレスベルトを挟むように構成されたニップ部材とを備えることを特徴とする請求項１から請求項４のいずれか１項に記載の定着装置。
【請求項６】
第１方向へ延びる軸線の周りを回転するように構成されたローラと、
前記ローラと前記第１方向と直交する第２方向に対向し、前記ローラとの間でニップを形成するように構成され、被ガイド部を有する加熱ユニットと、
前記ローラの前記第１方向における端部を保持するとともに、前記加熱ユニットを前記第２方向に沿って移動可能に支持するフレームと、
前記加熱ユニットを前記ローラに向けて付勢する加圧機構と、を備え、
前記フレームは、前記第２方向における前記加熱ユニット側に開口して前記ローラの前記端部を保持する凹部と、前記第１方向と前記第２方向とに直交する方向に沿う第３方向において前記加熱ユニットの前記被ガイド部を挟み、前記加熱ユニットの移動を案内するように構成された第１のガイドおよび第２のガイドとを有し、
前記第１のガイドは、前記凹部の前記第３方向の一方側の縁を構成する壁と繋がっており、
前記第２のガイドは、前記凹部の前記第３方向の他方側の縁を構成する壁と繋がっており、
前記被ガイド部は、前記第３方向の一方側を向く第３面と、前記第３方向の他方側を向く第４面とを有し、
前記第３面には、前記第３方向の他方側へ凹む第１溝があり、
前記第４面には、前記第３方向の一方側へ凹む第２溝があり、
前記第１のガイドは、前記被ガイド部に対して前記第３方向の一方側に配置され、前記第１溝へ向けて突出して前記第１溝に嵌る第１突起を有し、
前記第２のガイドは、前記被ガイド部に対して前記第３方向の他方側に配置され、前記第２溝へ向けて突出して前記第２溝へ嵌る第２突起を有し、
前記第１突起の先端面の前記第２方向において前記ローラから最も遠い端部は、前記加熱ユニットが前記ローラに最も近接する位置にあるとき、前記第１溝と前記第３方向で対向し、
前記第２突起の先端面の前記第２方向において前記ローラから最も遠い端部は、前記加熱ユニットが前記ローラに最も近接する位置にあるとき、前記第２溝と前記第３方向で対向することを特徴とする定着装置。
【請求項７】
第１方向へ延びる軸線の周りを回転するように構成されたローラと、
前記ローラと前記第１方向と直交する第２方向に対向し、前記ローラとの間でニップを形成するように構成され、被ガイド部を有する加熱ユニットと、
前記ローラの前記第１方向における端部を保持するとともに、前記加熱ユニットを前記第２方向に沿って移動可能に支持するフレームと、
前記加熱ユニットを前記ローラに向けて付勢する加圧機構と、を備え、
前記フレームは、前記第２方向における前記加熱ユニット側に開口して前記ローラの前記端部を保持する凹部と、前記第１方向と前記第２方向とに直交する方向に沿う第３方向において前記加熱ユニットの前記被ガイド部を挟み、前記加熱ユニットの移動を案内するように構成された第１のガイドおよび第２のガイドとを有し、
前記第１のガイドは、前記凹部の前記第３方向の一方側の縁を構成する壁と繋がっており、
前記第２のガイドは、前記凹部の前記第３方向の他方側の縁を構成する壁と繋がっており、
前記被ガイド部は、前記第３方向の一方側を向く第１面と、前記第３方向の他方側を向く第２面と、を有し、
前記第１のガイドは、前記被ガイド部に対して前記第３方向の一方側に配置され、前記第１面と前記第３方向で対向する第５面を有し、
前記第２のガイドは、前記被ガイド部に対して前記第３方向の他方側に配置され、前記第２面と前記第３方向で対向する第６面を有し、
前記第５面の前記第２方向において前記ローラから最も遠い端部は、前記加熱ユニットが前記ローラに最も近接する位置にあるとき、前記第１面と前記第３方向で対向し、
前記第６壁の前記第２方向において前記ローラから最も遠い端部は、前記加熱ユニットが前記ローラに最も近接する位置にあるとき、前記第２面と前記第３方向で対向することを特徴とする定着装置。
【請求項８】
前記フレームは、複数の異なる部材が結合されて構成されていることを特徴とする請求項１から請求項７のいずれか１項に記載の定着装置。
【発明の詳細な説明】
【技術分野】
【０００１】
本発明は、ローラを支持するとともに、ローラに対して移動可能な加熱ユニットも支持するフレームを備える定着装置に関する。
【背景技術】
【０００２】
従来、電子写真方式の画像形成装置に設けられる定着装置として、記録シートを加熱する加熱ユニットと、加熱ユニットとの間で記録シートを挟むローラと、加熱ユニットおよびローラを支持するフレームとを備えたものが知られている（例えば、特許文献１参照）。この定着装置において、フレームは、加熱ユニットを記録シート搬送方向から挟み込む一対のガイドを有している。そして、各ガイドは、加熱ユニットの記録シート搬送方向における位置決めをするとともに、加熱ユニットをローラに対して近接・離間する方向に移動するように案内している。
【先行技術文献】
【特許文献】
【０００３】
【特許文献１】特開２００２−２６８４１２号公報
【発明の概要】
【発明が解決しようとする課題】
【０００４】
ところで、上述した技術では、ガイドが加熱ユニットよりもローラとは反対側へ突出するように形成されていたため、フレームがローラから荷重を受けて、ガイドが加熱ユニット側に倒れるように歪んだときに、ガイドの加熱ユニットから突出した部分が加熱ユニットに被って、加熱ユニットがローラに対して移動できなくなってしまうおそれがあった。
【０００５】
そこで、本発明は、加熱ユニットおよびローラを支持するフレームが歪んでしまったときに、加熱ユニットが移動できなくなってしまうのを抑制することができる定着装置を提供することを目的とする。
【課題を解決するための手段】
【０００６】
前記した目的を達成するため、本発明の定着装置は、第１方向へ延びる軸線の周りを回転するように構成されたローラと、ローラと第１方向と直交する第２方向で対向し、ローラとの間でニップを形成するように構成され、被ガイド部を有する加熱ユニットと、ローラの第１方向における端部を保持するとともに、加熱ユニットを第２方向に沿って移動可能に支持するフレームと、加熱ユニットをローラに向けて付勢する加圧機構と、を備えている。
フレームは、第２方向における加熱ユニット側に開口してローラの前記端部を保持する凹部と、第１方向と第２方向とに直交する方向に沿う第３方向において加熱ユニットの被ガイド部を挟み、加熱ユニットの移動を案内するように構成された第１のガイドおよび第２のガイドとを有し、第１のガイドは、凹部の第３方向における一方側の縁を構成する壁と繋がっており、第２のガイドは、凹部の前記第３方向における他方側の縁を構成する壁と繋がっている。
被ガイド部は、第３方向の一方側を向く第１面と、第３方向の他方側を向く第２面と、を有している。
第１のガイドは、被ガイド部に対して第３方向の一方側に配置され、第１面と第３方向で対向して被ガイド部の第３方向の一方側への移動を規制するように構成された第１規制面を有している。
第２のガイドは、被ガイド部に対して第３方向の他方側に配置され、第２面と第３方向で対向し、被ガイド部の第３方向の他方側への移動を規制するように構成された第２規制面を有している。
そして、第１規制面の第２方向においてローラから最も遠い端部は、加熱ユニットがローラに最も近接する位置にあるとき、第１面と第３方向で対向し、第２規制面の第２方向においてローラから最も遠い端部は、加熱ユニットがローラに最も近接する位置にあるとき、第２面と第３方向で対向する。
【０００７】
このように構成された定着装置によれば、ローラが加熱ユニットから力を受けてフレームを押したときに、第１規制面と第２規制面が被ガイド部に向けて倒れるようにフレームが歪んでも、倒れた第１規制面と第２規制面は、被ガイド部の上に被らない。これにより、フレームが歪んでしまったときに、加熱ユニットが移動できなくなってしまうのを抑制することができる。
【０００８】
そして、前記した定着装置において、フレームは、樹脂から構成することができる。
【０００９】
このように、熱によって歪みやすい樹脂製のフレームであっても、フレームが歪むことで加熱ユニットが移動できなくなってしまうのを抑制することができる。
【００１０】
また、前記した定着装置において、加圧機構は、加熱ユニットをローラへ第１の圧力で接触させる第１状態と、加熱ユニットをローラへ第１の圧力よりも小さい第２の圧力で接触させる第２状態と、に切り替え可能に構成することができる。
【００１１】
そして、前記した定着装置において、加圧機構は、加熱ユニットをローラへ接触させる第３状態と、加熱ユニットをローラから離間させる第４状態とに切り替え可能に構成することができる。
【００１２】
また、前記した定着装置において、加熱ユニットは、エンドレスベルトと、エンドレスベルトの内側に配置され、ローラとの間でエンドレスベルトを挟むように構成されたニップ部材とを備える構成であってもよい。
【００１３】
そして、前記した目的を達成するため、本発明の定着装置は、第１方向へ延びる軸線の周りを回転するように構成されたローラと、ローラと第１方向と直交する第２方向に対向し、ローラとの間でニップを形成するように構成され、被ガイド部を有する加熱ユニットと、ローラの第１方向における端部を保持するとともに、加熱ユニットを第２方向に沿って移動可能に支持するフレームと、加熱ユニットをローラに向けて付勢する加圧機構と、を備えている。
フレームは、第２方向における加熱ユニット側に開口してローラの前記端部を保持する凹部と、第１方向と第２方向とに直交する方向に沿う第３方向において加熱ユニットの被ガイド部を挟み、加熱ユニットの移動を案内するように構成された第１のガイドおよび第２のガイドとを有し、第１のガイドは、凹部の第３方向の一方側の縁を構成する壁と繋がっており、第２のガイドは、凹部の前記第３方向の他方側の縁を構成する壁と繋がっている。
被ガイド部は、第３方向の一方側を向く第３面と、第３方向の他方側を向く第４面とを有し、第３面には、第３方向の他方側へ凹む第１溝があり、第４面には、第３方向の一方側へ凹む第２溝がある。
第１のガイドは、被ガイド部に対して第３方向の一方側に配置され、第１溝へ向けて突出して第１溝に嵌る第１突起を有している。
第２のガイドは、被ガイド部に対して第３方向の他方側に配置され、第２溝へ向けて突出して第２溝へ嵌る第２突起を有している。
そして、第１突起の第２方向においてローラから最も遠い端部は、加熱ユニットがローラに最も近接する位置にあるとき、第１溝と第３方向で対向し、第２突起の第２方向においてローラから最も遠い端部は、加熱ユニットがローラに最も近接する位置にあるとき、第２溝と第３方向で対向する。
【００１４】
また、前記した目的を達成するため、本発明の定着装置は、第１方向へ延びる軸線の周りを回転するように構成されたローラと、ローラと第１方向と直交する第２方向に対向し、ローラとの間でニップを形成するように構成され、被ガイド部を有する加熱ユニットと、ローラの第１方向における端部を保持するとともに、加熱ユニットを第２方向に沿って移動可能に支持するフレームと、加熱ユニットを前記ローラに向けて付勢する加圧機構と、を備えている。
フレームは、第２方向における加熱ユニット側に開口してローラの前記端部を保持する凹部と、第１方向と第２方向とに直交する方向に沿う第３方向において加熱ユニットの被ガイド部を挟み、加熱ユニットの移動を案内するように構成された第１のガイドおよび第２のガイドとを有し、第１のガイドは、凹部の第３方向の一方側の縁を構成する壁と繋がっており、第２のガイドは、凹部の第３方向の他方側の縁を構成する壁と繋がっている。
被ガイド部は、第３方向の一方側を向く第１面と、第３方向の他方側を向く第２面と、を有している。
第１のガイドは、被ガイド部に対して第３方向の一方側に配置され、第１面と第３方向で対向する第５面を有している、
第２のガイドは、被ガイド部に対して第３方向の他方側に配置され、第２面と第３方向で対向する第６面を有している。
そして、第５面の第２方向においてローラから最も遠い端部は、加熱ユニットがローラに最も近接する位置にあるとき、第１面と第３方向で対向し、第６壁の第２方向においてローラから最も遠い端部は、加熱ユニットがローラに最も近接する位置にあるとき、第２面と第３方向で対向する。
【００１５】
そして、前記した定着装置において、フレームは、複数の異なる部材が結合されて構成されていてもよい。
【発明の効果】
【００１６】
本発明によれば、ローラが加熱ユニットから力を受けてフレームを押したときに、第１規制面と第２規制面が被ガイド部に向けて倒れるようにフレームが歪んでも、倒れた第１規制面と第２規制面は、被ガイド部の上に被らない。これにより、フレームが歪んでしまったときに、加熱ユニットが移動できなくなってしまうのを抑制することができる。
【図面の簡単な説明】
【００１７】
【図１】本発明の一実施形態に係る定着装置を備えたレーザプリンタの概略構成を示す図である。
【図２】定着装置の加熱ユニットと加圧ローラを示す断面図である。
【図３】加圧機構と第２フレームを取り除いた定着装置の右端部を示す分解斜視図である。
【図４】第３カバー部材と第１フレームの第１のガイドおよび第２のガイドを上下方向に垂直な面で切った断面図である。
【図５】定着装置の右端側を示す断面図である。
【図６】加熱ユニットの分解斜視図である。
【図７】第１状態における加圧機構を示す図（ａ）と、第２状態における加圧機構を示す図（ｂ）と、第４状態における加圧機構を示す図（ｃ）である。
【図８】第１状態におけるニップ板と加圧ローラの位置を示す図（ａ）と、第２状態におけるニップ板と加圧ローラの位置を示す図（ｂ）と、第４状態におけるニップ板と加圧ローラの位置を示す図（ｃ）である。
【発明を実施するための形態】
【００１８】
次に、本発明の一実施形態について、適宜図面を参照しながら詳細に説明する。なお、以下の説明では、まず、本発明の実施形態に係る定着装置１００を備えたレーザプリンタ１の概略構成を簡単に説明した後、定着装置１００の詳細な構成について説明する。
【００１９】
また、以下の説明において、方向は、レーザプリンタ１を使用するユーザを基準にした方向で説明する。すなわち、図１における左側を「前」、右側を「後」とし、奥側を「左」、手前側を「右」とする。また、図１における上下方向を「上下」とする。
【００２０】
＜レーザプリンタの概略構成＞
図１に示すように、レーザプリンタ１は、本体筐体２内に、用紙Ｓを供給する給紙部３と、露光装置４と、用紙Ｓ上にトナー像を転写するプロセスカートリッジ５と、用紙Ｓ上に転写されたトナー像を熱定着する定着装置１００とを主に備えている。
【００２１】
給紙部３は、本体筐体２内の下部に設けられ、給紙トレイ３１と、用紙押圧板３２と、給紙機構３３とを主に備えている。給紙トレイ３１に収容された用紙Ｓは、用紙押圧板３２によって上方に寄せられ、給紙機構３３によってプロセスカートリッジ５（感光体ドラム６１と転写ローラ６３との間）に向けて供給される。
【００２２】
露光装置４は、本体筐体２内の上部に配置され、図示しないレーザ発光部や、符号を省略して示すポリゴンミラー、レンズ、反射鏡などを備えている。この露光装置４では、レーザ発光部から出射される画像データに基づくレーザ光（鎖線参照）が、感光体ドラム６１の表面で高速走査されることで、感光体ドラム６１の表面を露光する。
【００２３】
プロセスカートリッジ５は、露光装置４の下方に配置され、本体筐体２に設けられたフロントカバー２１を開いたときにできる開口から本体筐体２に対して着脱可能に装着される構成となっている。このプロセスカートリッジ５は、ドラムユニット６と、現像ユニット７とから構成されている。
【００２４】
ドラムユニット６は、感光体ドラム６１と、帯電器６２と、転写ローラ６３とを主に備えている。また、現像ユニット７は、ドラムユニット６に対して着脱可能に装着される構成となっており、現像ローラ７１と、供給ローラ７２と、層厚規制ブレード７３と、現像剤の一例としてのトナーを収容するトナー収容部７４とを主に備えている。
【００２５】
このプロセスカートリッジ５では、感光体ドラム６１の表面が、帯電器６２により一様に帯電された後、露光装置４からのレーザ光の高速走査によって露光されることで、感光体ドラム６１上に画像データに基づく静電潜像が形成される。また、トナー収容部７４内のトナーは、供給ローラ７２を介して現像ローラ７１に供給され、現像ローラ７１と層厚規制ブレード７３の間に進入して一定厚さの薄層として現像ローラ７１上に担持される。
【００２６】
現像ローラ７１上に担持されたトナーは、現像ローラ７１から感光体ドラム６１上に形成された静電潜像に供給される。これにより、静電潜像が可視像化され、感光体ドラム６１上にトナー像が形成される。その後、感光体ドラム６１と転写ローラ６３の間を用紙Ｓが搬送されることで感光体ドラム６１上のトナー像が用紙Ｓ上に転写される。
【００２７】
定着装置１００は、プロセスカートリッジ５の後方に設けられている。用紙Ｓ上に転写されたトナー像は、定着装置１００を通過することで用紙Ｓ上に熱定着される。その後、用紙Ｓは、搬送ローラ２３，２４によって排紙トレイ２２上に排出される。
【００２８】
＜定着装置の詳細構成＞
図２に示すように、定着装置１００は、定着ベルト１１０と、ハロゲンランプ１２０と、ニップ部材の一例としてのニップ板１３０と、ローラの一例としての加圧ローラ１４０と、反射板１５０と、ステイ１６０と、カバー部材２００とを主に備えている。
【００２９】
なお、定着ベルト１１０、ハロゲンランプ１２０、ニップ板１３０、反射板１５０、ステイ１６０およびカバー部材２００は、用紙Ｓを加熱する加熱ユニットＨＵを構成し、加圧ローラ１４０と第２方向の一例としての上下方向に対向している。
【００３０】
定着ベルト１１０は、耐熱性と可撓性を有するエンドレスベルトであり、カバー部材２００に形成された端部ガイド３３０により回転が案内されている。
【００３１】
ハロゲンランプ１２０は、輻射熱を発してニップ板１３０および定着ベルト１１０（ニップＮ）を加熱することで用紙Ｓ上のトナーを加熱する部材であり、定着ベルト１１０の内側において定着ベルト１１０およびニップ板１３０の内面から所定の間隔をあけて配置されている。
【００３２】
ニップ板１３０は、定着ベルト１１０の内側に配置され、ハロゲンランプ１２０からの輻射熱を受ける板状の部材であり、その下面に定着ベルト１１０の内周面が摺接するように配置されている。本実施形態において、ニップ板１３０は、金属製であり、例えば、後述するスチール製のステイ１６０より熱伝導率が大きい、アルミニウム板などを折り曲げることで形成されている。なお、ニップ板１３０をアルミニウム製とした場合には、ニップ板１３０の熱伝導性を向上させることが可能となっている。
【００３３】
加圧ローラ１４０は、第１方向の一例としての左右方向へ延びる軸線Ｘの周りを回転するように構成されたローラであり、ニップ板１３０との間で定着ベルト１１０を挟むことで定着ベルト１１０との間にニップＮを形成するように、ニップ板１３０の下方に配置されている。本実施形態においては、ニップＮを形成するために、ニップ板１３０を加圧ローラ１４０に向けて付勢している。そして、この加圧ローラ１４０は、ニップ板１３０との間で定着ベルト１１０を挟んだ状態で回転することで、当該定着ベルト１１０とともに回転して用紙Ｓを後方に搬送するようになっている。
【００３４】
加圧ローラ１４０は、本体筐体２内に設けられた図示しないモータから駆動力が伝達されて回転駆動するように構成されており、回転駆動することで定着ベルト１１０（または用紙Ｓ）との摩擦力により定着ベルト１１０を従動回転させる。トナー像が転写された用紙Ｓは、加圧ローラ１４０と加熱された定着ベルト１１０の間（ニップＮ）を搬送されることでトナー像（トナー）が熱定着されることとなる。
【００３５】
反射板１５０は、ハロゲンランプ１２０からの輻射熱をニップ板１３０に向けて反射する部材であり、定着ベルト１１０の内側でハロゲンランプ１２０を囲うように、ハロゲンランプ１２０から所定の間隔をあけて配置されている。
【００３６】
この反射板１５０は、赤外線および遠赤外線の反射率が大きい、例えば、アルミニウム板などを断面視Ｕ字状に湾曲させて形成されている。より詳細に、反射板１５０は、Ｕ字形状をなす反射部１５１と、反射部１５１の前後方向における両端縁（ニップ板１３０側の各端縁）から前後方向外側に向けて延びるフランジ１５２とを有している。
【００３７】
そして、各フランジ１５２は、ステイ１６０とニップ板１３０とで挟まれている。
【００３８】
ステイ１６０は、ニップ板１３０を反射板１５０を介して支持することで加圧ローラ１４０からの荷重を受ける部材であり、定着ベルト１１０の内側でハロゲンランプ１２０や反射板１５０を囲うように配置されている。なお、ここでいう荷重は、ニップ板１３０が加圧ローラ１４０を付勢する力の反力をいうものとする。
【００３９】
詳しくは、ステイ１６０は、上壁１６１と、上壁１６１の前端から下方に延びる前壁１６２と、上壁１６１の後端から下方に延びる後壁１６３とによって断面視Ｕ字状に形成されている。そして、前壁１６２の下端部には、前側に延びるフランジ１６４が形成されている。このようなステイ１６０は、比較的剛性が高い、例えば、鋼板などを折り曲げることで形成されている。
【００４０】
カバー部材２００は、第１カバー部材２１０と、第２カバー部材２２０と、図３に示すような端面ガイド２４０と、第３カバー部材２３０とを主に備えて構成されている。これらカバー部材２００を構成する部品は、樹脂から形成されている。なお、カバー部材２００の左右の端部は、略同じ構成を有しているため、図３では右端部のみ図示している。
【００４１】
第１カバー部材２１０は、断面視Ｕ字状をなして左右方向に長く延びるように形成されており、ステイ１６０を挟んでハロゲンランプ１２０とは反対側でステイ１６０を覆うように配置されている。
【００４２】
第１カバー部材２１０は、図２に示すように、後側壁２１１と、前側壁２１２と、後側壁２１１および前側壁２１２の上端同士を連結するように延びる上壁２１３とを主に有している。第１カバー部材２１０の上壁２１３は、図３に示すように、第２カバー部材２２０よりも左右方向外側まで延びており、当該第２カバー部材２２０よりも外側に設けられる部分に、ステイ１６０の左右方向両端側の部位１６５を露出させる２つの開口部２１３Ａをそれぞれ有している。この２つの開口部２１３Ａは、第１カバー部材２１０の右端部と左端部において、前後方向に間隔を空けて配置されている。
【００４３】
第２カバー部材２２０は、図３に示すように、左右方向に長く延びるように形成されており、第１カバー部材２１０の一部を覆うように、第１カバー部材２１０に対して上側に配置されている。第２カバー部材２２０は、図２に示すように、上壁２２１と、上壁２２１の後端から下方に向けて延びる後壁２２２と、後壁２２２の下端から後方に向けて延びる延出壁２２３とを主に有している。そして、図３に示すように、上壁２２１の左右方向両端部には、定着ベルト１１０の上部を案内する前述した一対の端部ガイド３３０が一体に形成されている。
【００４４】
また、第２カバー部材２２０の左右方向外側には、図３に示すように、定着ベルト１１０の端縁の位置を規制する規制面２４１を有する２つの端面ガイド２４０がそれぞれ第２カバー部材２２０の端部ガイド３３０に隣接するように設けられている。
【００４５】
第３カバー部材２３０は、第１カバー部材２１０の左右方向両端側を覆う部材であり、端面ガイド２４０や端部ガイド３３０とは別に設けられている。第３カバー部材２３０は、後述する第１フレーム４００によって、前後左右方向への移動が規制された状態で上下方向、すなわち、加熱ユニットＨＵと加圧ローラ１４０が対向する方向に沿って移動可能に支持されている（図５も参照）。
【００４６】
第３カバー部材２３０は、前後方向に間隔を空けて配置される第１壁２３１と第２壁２３２とからなる被ガイド部（支持フレーム）２３３と、第１壁２３１と第２壁２３２の上端同士を繋ぐ上壁２３４とを有し、下側に開口する断面視略Ｕ字状に形成されている。
【００４７】
被ガイド部２３３は、第１壁２３１が第１カバー部材２１０の前側に配置され、第２壁２３２が第１カバー部材２１０の後側に配置され、第１壁２３１と第２壁２３２とで第１カバー部材２１０を前後方向で挟むように形成されている。
【００４８】
図３および図４に示すように、第１壁２３１は、前側を向く壁面（前後方向における外側を向く面）から前方へ向けて突出する一対の第１リブ２３５が設けられている。一対の第１リブ２３５は、左右方向に間隔を空けて配置され、上下方向に長く延びている。そして、このように一対の第１リブ２３５が設けられることにより、第１壁２３１（詳しくは、一対の第１リブ２３５の先端面２３１Ｂにより構成される第３面の一例としての前面２３１Ｃ）に後方へ向けて凹むとともに上下方向に延びる第１溝２３１Ａが形成されている。
【００４９】
第２壁２３２は、後側を向く壁面（前後方向における外側を向く面）から後方へ向けて突出する一対の第２リブ２３６が設けられている。一対の第２リブ２３６は、左右方向に間隔を空けて配置され、上下方向に長く延びている。そして、このように一対の第２リブ２３６が設けられることにより、第２壁２３２（詳しくは、一対の第２リブ２３６の先端面２３２Ｂにより構成される第４面の一例としての後面２３２Ｃ）に前方へ向けて凹むとともに上下方向に延びる第２溝２３２Ａが形成されている。
【００５０】
図３に示すように、上壁２３４は、下面（ステイ１６０側を向く面）に、下方に突出する２つの押圧突起２３４Ａ（一方のみ図示）が、前後に間隔を空けて設けられている。２つの押圧突起２３４Ａは、第１カバー部材２１０に設けられた２つの開口部２１３Ａに対応した位置に設けられ、第３カバー部材２３０が後述するアーム部材５１０に押圧されたときに、開口部２１３Ａを通してステイ１６０の左右方向両端側の部位１６５を直接押圧するようになっている。
【００５１】
そして、定着装置１００は、図５および図６に示すように、前述した各部材の他、フレームの一例としての第１フレーム４００と、第１フレーム４００に設けられる加圧機構５００と、第１フレーム４００の上方を覆う第２フレーム６００とを備えている。
【００５２】
第１フレーム４００は、樹脂製のフレームであり、主に、下壁部４１０と、下壁部４１０の左右方向の両端から上方に突出する一対の側壁４２０とを備えて構成されている。なお、第１フレーム４００の一対の側壁４２０は、それぞれ同じ構成を有しているため、以下の説明では、右側の側壁４２０のみを図示して説明する。
【００５３】
図５に示すように、一対の側壁４２０には、加圧ローラ１４０の左右方向両端部を軸受１４１を介して支持するローラ支持部４３０と、ローラ支持部４３０の上に設けられ、加熱ユニットＨＵを上下に移動可能に支持するユニット支持部４４０とが型により一体に形成されている。また、第１フレーム４００の側壁４２０には、加熱ユニットＨＵを加圧ローラ１４０に向けて加圧する加圧機構５００が設けられている。
【００５４】
ローラ支持部４３０には、上側、つまり、上下方向における加熱ユニットＨＵ側に開口する断面視略Ｕ字状に形成された凹部４３１が設けられている。そして、凹部４３１には、加圧ローラ１４０の左右方向両端部に設けられている軸受１４１が嵌め込まれている。つまり、凹部４３１は、加圧ローラ１４０の左右方向両端部を保持している。
【００５５】
ユニット支持部４４０は、第３カバー部材２３０の前側に配置される第１のガイド４４２と、第３カバー部材２３０の後側に配置される第２のガイド４４３とを有し、この第１のガイド４４２と第２のガイド４４３とで加熱ユニットＨＵの第３カバー部材２３０（被ガイド部２３３の一例）を第３方向の一例としての前後方向で挟んでいる。
【００５６】
そして、第１のガイド４４２は、凹部４３１の前側の縁を構成する前側壁４３２と繋がっており、第２のガイド４４３は、凹部４３１の後側の縁を構成する後側壁４３３と繋がっている。
【００５７】
図３および図４に示すように、第１のガイド４４２は、後側、つまり、第３カバー部材２３０と対向する側に、第３カバー部材２３０の第１溝２３１Ａへ向けて突出する第１突起４４４と、第１突起４４４の左右方向外側の面から左右方向外側に突出する第１規制壁４４５とを有している。
【００５８】
第１突起４４４は、先端面４４４Ａが上下方向に延び、一対の第１リブ２３５の間隔と略同じ厚みで形成されている。この第１突起４４４は、一対の第１リブ２３５により挟まれている。つまり、第１突起４４４は、第１溝２３１Ａに嵌合している。これにより、第３カバー部材２３０（加熱ユニットＨＵ）の前端側の左右方向への移動が規制されている。
【００５９】
そして、第１突起４４４の先端面４４４Ａの上端４４４Ｂ（加圧ローラ１４０から遠い方の端部）は、加熱ユニットＨＵが最も加圧ローラ１４０に近接している位置（図８（ａ）に示す位置）において、第１溝２３１Ａに対向する高さに設けられている。言い換えると、このとき、第１突起４４４の先端面４４４Ａの上端４４４Ｂは、前後方向と平行な方向から見たときに、第１溝２３１Ａと重なるように位置している。
【００６０】
第１規制壁４４５は、後側を向く第１規制面４４５Ａ（第５面）が、一対の第１リブ２３５のうち左右方向外側の第１リブ２３５Ａの先端面２３１Ｂに対向するように設けられている。つまり、左右方向外側の第１リブ２３５Ａの先端面２３１Ｂが第１面に相当する。
【００６１】
第１規制面４４５Ａは、前後方向において第１のガイド４４２のうち最も第１壁２３１に近い面であり、第１リブ２３５Ａの先端面２３１Ｂに当接することで、第３カバー部材２３０（加熱ユニットＨＵ）の前側への移動を規制している。また、第１規制面４４５Ａは、図５に示すように、第１リブ２３５Ａの先端面２３１Ｂに沿って上下方向に延びており、第１壁２３１が上下方向に移動するのを案内するようになっている。
【００６２】
そして、第１規制面４４５Ａの上端４４５Ｂ、つまり、上下方向において加圧ローラ１４０から最も遠い端部は、加熱ユニットＨＵが最も加圧ローラ１４０に近接している位置（図８（ａ）に示す位置）において、図５に示すように、第１リブ２３５Ａの先端面２３１Ｂに対向する高さに設けられている。つまり、第１規制面４４５Ａの上端４４５Ｂは、第１リブ２３５Ａの先端面２３１Ｂの上端よりも低い位置に設けられている。また、さらに言い換えると、このとき、第１規制面４４５Ａの上端４４５Ｂは、前後方向に平行な方向から見たときに、第１リブ２３５Ａの先端面２３１Ｂと重なるように位置している。
【００６３】
図３および図４に示すように、第２のガイド４４３は、前側、つまり、第３カバー部材２３０と対向する側に、第３カバー部材２３０の第２溝２３２Ａへ向けて突出する第２突起４４６と、第２突起４４６の左右方向外側の面から左右方向外側に突出する第２規制壁４４７とを有している。
【００６４】
第２突起４４６は、先端面４４６Ａが上下方向に延び、一対の第２リブ２３６の間隔と略同じ厚みで形成されている。この第２突起４４６は、一対の第２リブ２３６により挟まれることで、第２溝２３２Ａに嵌合している。これにより、第３カバー部材２３０（加熱ユニットＨＵ）の後端側の左右方向への移動が規制されている。
【００６５】
そして、第２突起４４６の先端面４４６Ａの上端４４６Ｂ（加圧ローラ１４０から遠い方の端部）は、加熱ユニットＨＵが最も加圧ローラ１４０に近接している位置（図８（ａ）に示す位置）において、第２溝２３２Ａに対向する高さに設けられている。言い換えると、このとき、第２突起４４６の先端面４４６Ａの上端４４６Ｂは、前後方向と平行な方向から見たときに、第２溝２３２Ａと重なるように位置している。
【００６６】
第２規制壁４４７は、前側を向く第２規制面４４７Ａ（第６面）が、一対の第２リブ２３６のうち左右方向外側の第２リブ２３６Ａの先端面２３２Ｂに対向するように設けられている。つまり、左右方向外側の第２リブ２３６Ａの先端面２３２Ｂが第２面に相当する。
【００６７】
第２規制面４４７Ａは、前後方向において第２のガイド４４３のうち最も第２壁２３２に近い面であり、第２リブ２３６Ａの先端面２３２Ｂに当接することで、第３カバー部材２３０（加熱ユニットＨＵ）の後側への移動を規制している。また、第２規制面４４７Ａは、図５に示すように、第２リブ２３６Ａの先端面２３２Ｂに沿って上下方向に延びており、第２壁２３２が上下方向に移動するのを案内するようになっている。
【００６８】
そして、第２規制面４４７Ａの上端４４７Ｂ、つまり、上下方向において加圧ローラ１４０から最も遠い端部は、加熱ユニットＨＵが最も加圧ローラ１４０に近接している位置（図８（ａ）に示す位置）において、図５に示すように、第２リブ２３６Ａの先端面２３２Ｂに対向する高さに設けられている。つまり、第２規制面４４７Ａの上端４４７Ｂは、第２リブ２３６Ａの先端面２３２Ｂの上端よりも低い位置に設けられている。さらに言い換えると、このとき、第２規制面４４７Ａの上端４４７Ｂは、前後方向と平行な方向から見たときに、第２リブ２３６Ａの先端面２３２Ｂと重なるように位置している。
【００６９】
図６に示すように、加圧機構５００は、加熱ユニットＨＵ（ニップ板１３０）を加圧ローラ１４０に向けて付勢する機構であり、主に、一対のアーム部材５１０と、一対の引張コイルバネ５２０と、移動機構５３０とを備えて構成されている。
【００７０】
一対のアーム部材５１０は、加熱ユニットＨＵの左右両端部（より詳細には、第３カバー部材２３０）の上方に配置されており、それぞれ左右対称な形状で形成されている。図５および図６に示すように、アーム部材５１０は、前端５１１が加熱ユニットＨＵよりも前側の位置（より詳細には、第１のガイド４４２の上部）で、第１フレーム４００の側壁４２０（詳しくは、凹部４３１よりも前側に配置される壁）に形成される軸部に回動可能に支持されている（図７も参照）。また、アーム部材５１０は、後端５１２（詳しくは、前後方向において加熱ユニットＨＵよりも後側の部分）が引張コイルバネ５２０によって下方へ向けて付勢されている。具体的には、図７（ａ）に示すように、引張コイルバネ５２０は、上端がアーム部材５１０の後端５１２に係止され、下端が第１フレーム４００の側壁４２０（より詳細には、第２のガイド４４３の上部、つまり、凹部４３１よりも後側に配置される壁）に係止されており、アーム部材５１０を第１フレーム４００に向けて引っ張っている。
【００７１】
このように設けられたアーム部材５１０は、図５に示すように、その中央部が第３カバー部材２３０の上面に当接することで、加熱ユニットＨＵを加圧ローラ１４０に向けて付勢するようになっている。
【００７２】
図５および図６に示すように、移動機構５３０は、アーム部材５１０に作用して加熱ユニットＨＵを加圧ローラ１４０に対して上下動させるための機構である。移動機構５３０は、シャフト５３１と、カム５３２と、操作レバー５３３とから構成されている。
【００７３】
シャフト５３１は、左右方向に延びる棒状の部材であり、第１フレーム４００の一対の側壁４２０を貫通して設けられ、第１フレーム４００に回転可能に支持されている。
【００７４】
そして、シャフト５３１の左右の両端には、アーム部材５１０に作用するカム５３２が設けられ、一端側のカム５３２には、シャフト５３１を回動させるための操作レバー５３３が一体に設けられている。
【００７５】
具体的には、カム５３２はシャフト５３１の左右方向両端部に固定され、シャフト５３１の径方向外側に突出した形状を有している。カム５３２は、周面に、完全リリース面５３２Ａと、完全リリース面５３２Ａよりもシャフト５３１に近い位置に設けられるリリース面５３２Ｂとを有している。このカム５３２は、各アーム部材５１０の後端５１２の下方に配置されている。
【００７６】
操作レバー５３３は、ユーザの操作または公知の機構（例えば、フロントカバー２１の開閉に連動させる機構）によって回転する部材であり、右側のカム５３２と一体に形成されている。
【００７７】
このように構成された加圧機構５００は、加熱ユニットＨＵを加圧ローラ１４０へ第１の圧力で接触させる第１状態と、加熱ユニットＨＵを加圧ローラ１４０へ第１の圧力よりも小さい第２の圧力で接触させる第２状態とに切り替え可能である。また、加圧機構５００は、前記した第１状態や第２状態のように加熱ユニットＨＵを加圧ローラ１４０に接触させる第３状態と、加熱ユニットＨＵを加圧ローラ１４０から離間させる第４状態とに切り替え可能である。
【００７８】
具体的に、加圧機構５００は、通常時（操作レバー５３３を操作していないとき）には、図７（ａ）に示すように、カム５３２がアーム部材５１０から離間した第１状態となっている。このときには、加熱ユニットＨＵは、アーム部材５１０により加圧ローラ１４０に向けて付勢され、最も加圧ローラ１４０に最も近接した位置に配置されている。この状態において加熱ユニットＨＵは、図８（ａ）に示すように、加圧ローラ１４０と第１の圧力で接触している。
【００７９】
そして、操作レバー５３３を回動させて、加圧機構５００を図７（ｂ）に示すような第２状態に切り替えると、左右のカム５３２のリリース面５３２Ｂが左右のアーム部材５１０に当接し、各カム５３２が各アーム部材５１０を上方に押圧する。これにより、左右のアーム部材５１０が引張コイルバネ５２０の付勢力に抗して上昇するため、加熱ユニットＨＵがアーム部材５１０から受ける力が減少する。そのため、加熱ユニットＨＵは、図８（ｂ）に示すように、第１フレーム４００の第１のガイド４４２および第２のガイド４４３に案内されて上方へ移動し、加圧ローラ１４０と第１の圧力よりも小さい第２の圧力で接触する。
【００８０】
さらに操作レバー５３３が回動すると、加圧機構５００は、図７（ｃ）に示すような第４状態に切り替わる。この状態では、左右のカム５３２の完全リリース面５３２Ａが左右のアーム部材５１０に当接し、各カム５３２が各アーム部材５１０をさらに上昇させる。これにより、加熱ユニットＨＵは、第１フレーム４００の第１のガイド４４２および第２のガイド４４３に案内されてさらに上方へ移動し、図８（ｃ）に示すように、加熱ユニットＨＵが加圧ローラ１４０から離間する（加熱ユニットＨＵと加圧ローラ１４０の間の圧力がゼロになる）。
【００８１】
また、この第４状態から操作レバー５３３を元の第１状態の位置に戻すと、図７（ａ）に示すように、カム５３２がアーム部材５１０から外れて、引張コイルバネ５２０の付勢力により、加熱ユニットＨＵが、第１フレーム４００の第１のガイド４４２および第２のガイド４４３に案内されて下降する。これにより、図８（ａ）に示すように、加熱ユニットＨＵが加圧ローラ１４０に接触する。
【００８２】
以上のように構成された定着装置１００の作用および効果について説明する。
加圧機構５００が第１状態のとき、図５に示すように、加熱ユニットＨＵで加圧ローラ１４が押されるため、加圧ローラ１４０が第１フレーム４００の凹部４３１を下方に向けて押す。
【００８３】
このとき、第１フレーム４００の側壁４２０は、凹部４３１が下方へ押されることで、凹部４３１の前側の縁を構成する前側壁４３２と繋がっている第１のガイド４４２と、凹部４３１の後側の縁を構成する後側壁４３３と繋がっている第２のガイド４４３とが、前後方向内側（加熱ユニットＨＵ側）へ倒れるように変形することがある。
【００８４】
本実施形態では、第１のガイド４４２のうち前後方向において最も第１壁２３１（第１リブ２３５Ａの先端面２３１Ｂ）に近い位置に配置されている第１規制面４４５Ａの上端４４５Ｂが、第１壁２３１の先端面２３１Ｂに前後方向で対向しているため、第１のガイド４４２が第１壁２３１側へ倒れても、第１のガイド４４２が第１壁２３１の上に被らずに、第１規制面４４５Ａが第１壁２３１の先端面２３１Ｂに当たって、それ以上第１ガイド４４２が倒れるのが抑制される。
【００８５】
また、第２のガイド４４３のうち前後方向において最も第２壁２３２（第２リブ２３６Ａの先端面２３２Ｂ）に最も近い位置に配置されている第２規制面４４７Ａの上端４４７Ｂも、第２壁２３２の先端面２３２Ｂに前後方向で対向しているため、第２のガイド４４３が倒れても、第２のガイド４４３が第２壁２３２の上に被らずに、第２規制面４４７Ａが第２壁２３２の先端面２３２Ｂに当たって、それ以上第２ガイド４４３が倒れるのが抑制される。
【００８６】
これにより、第１フレーム４００が変形しても、第１のガイド４４２と第２のガイド４４３が加熱ユニットＨＵの被ガイド部２３３に被らないので、加熱ユニットＨＵが上方に動けなくなってしまうのを抑制することができる。
【００８７】
なお、本実施形態のような加圧機構５００が設けられている定着装置１００においては、第２のガイド４４３の上端には、引張コイルバネ５２０によって上方へ引き上げられる力が働いている。また、アーム部材５１０の後端５１２が引張コイルバネ５２０で下方へ向けて付勢されることで、アーム部材５１０の前端５１１が上方へ向けて移動しようとするので、第１のガイド４４２の上端では、アーム部材５１０を軸支している部分に、アーム部材５１０から上方へ引き上げられる力が働いている。つまり、凹部４３１が加圧ローラ１４０によって下方に押されているときに、当該凹部４３１を挟む第１のガイド４４２および第２のガイド４４３が上方へ引き上げられているので、第１のガイド４４２と第２のガイド４４３が前後方向内側（加熱ユニットＨＵ側）へ倒れるように第１フレーム４００が変形しやすい。
【００８８】
このように、第１フレーム４００の側壁４２０が変形しやすい場合であっても、上述したように、第１のガイド４４２と第２のガイド４４３が加熱ユニットＨＵの被ガイド部２３３に被らないので、加熱ユニットＨＵが上方に動けなくなってしまうのを抑制することができる。
【００８９】
なお、本実施形態においては、加熱ユニットＨＵが最も加圧ローラ１４０に近接する位置において、第１規制面４４５Ａの上端４４５Ｂが第１壁２３１と前後方向で対向し、第２規制面４４７Ａの上端４４７Ｂが第２壁２３２と前後方向で対向しているので、加熱ユニットＨＵが加圧ローラ１４０に対してどの位置に配置されていても、前述した効果が得られる。
【００９０】
以上、本発明の実施形態について説明したが、本発明は前記実施形態に限定されるものではない。具体的な構成については、本発明の趣旨を逸脱しない範囲で適宜変更が可能である。
【００９１】
前記実施形態では、第１溝２３１Ａや第２溝２３２Ａに嵌合する第１突起４４４および第２突起４４６とは別に設けられた第１規制壁４４５と第２規制壁４４７とで加熱ユニットＨＵの前後方向の移動を規制していたが、本発明はこれに限定されるものではない。例えば、第１突起の先端が第１溝の底部に当接することで、加熱ユニットＨＵの前側への移動を規制してもよいし、第２突起の先端が第２溝の底部に当接することで、加熱ユニットＨＵの後側への移動を規制してもよい。
【００９２】
前記実施形態では、第１フレーム４００の全体は型により樹脂で一体成形されていたが、第１フレーム４００の全体は金属で一体的に構成されていてもよい。
また、第１フレーム４００の全体は同じ材料で形成されている必要は必ずしもなく、第１規制壁４４５および第２規制壁４４７と別部品を一体的に結合したものであってもよい。例えば、第１規制壁４４５および第２規制壁４４７が樹脂フレームであり、第１フレーム４００の第１規制壁４４５および第２規制壁４４７以外の部位（第１他部位の一例）が金属フレームであり、第１規制壁４４５および第２規制壁４４７と上記第１他部位が結合されることにより、第１フレーム４００が構成されていてもよい。
また、第１規制壁４４５および第１突起４４４が型により樹脂で一体形成されて第１のガイド４４２を構成し、第２規制壁４４７および第２突起４４６も同様に型により樹脂で一体形成されて第２のガイド４４３を構成し、第１フレーム４００の第１のガイド４４２および第２のガイド４４３以外の部位（第２他部位の一例）が金属で形成され、第１のガイド４４２および第２のガイド４４３と上記第２他部位が一体的に結合されることで、第１フレーム４００が構成されていてもよい。
【００９３】
前記実施形態では、ニップ部材として金属製のニップ板１３０を例示し、加熱ユニットＨＵは、ニップ板１３０を加熱するハロゲンランプ１２０を備えていたが、本発明はこれに限定されるものではない。例えば、ニップ部材は、板状に形成されたセラミックヒータであってもよい。この場合は、ハロゲンランプ１２０のような発熱体をニップ部材と別個に設ける必要がない。
【符号の説明】
【００９４】
１００  定着装置
１１０  定着ベルト
１３０  ニップ板
１４０  加圧ローラ
２３１  第１壁
２３１Ａ  第１溝
２３１Ｂ  先端面
２３２  第２壁
２３２Ａ  第２溝
２３２Ｂ  先端面
２３３  被ガイド部
４００  第１フレーム
４３１  凹部
４３２  前側壁
４３３  後側壁
４４２  第１のガイド
４４３  第２のガイド
４４４  第１突起
４４５Ａ  第１規制面
４４６  第２突起
４４７Ａ  第２規制面
５００  加圧機構
ＨＵ    加熱ユニット
Ｎ      ニップ
【図１】
2014130245.tif 000003
【図２】
2014130245.tif 000004
【図３】
2014130245.tif 000005
【図４】
2014130245.tif 000006
【図５】
2014130245.tif 000007
【図６】
2014130245.tif 000008
【図７】
2014130245.tif 000009
【図８】
2014130245.tif 000010